(57)【要約】【課題】本発明は、稼動効率を向上させつつキャリブレーションを実行するか否かを簡単かつ適切に判定することのできるデジタル画像読取装置に関する。【解決手段】デジタル画像読取装置１は、原稿の読取領域外に設けられたカラーパッチ３１ａを読み取ってｓＲＧＢ変換した画像データを画像処理回路４６で平滑化した後に着脱可能なＳＤ−ＣＡＲＤ７０に記憶し、当該ＳＤ−ＣＡＲＤ７０の画像データを、キャリブレーション実施の必要性の判断材料としている。したがって、ＳＤ−ＣＡＲＤ７０をデジタル画像読取装置１から取り外してノートＰＣ等を利用してキャリブレーション実施の必要性を判定することで、デジタル画像読取装置１の稼働率を維持しつつ、キャリブレーション実施の必要性を適切かつ容易に判定することができる。【選択図】          図１
2006246265.tif 000002
【特許請求の範囲】
【請求項１】
撮像デバイスで読み込まれた原稿の画像を当該撮像デバイス固有のＲＧＢ空間から標準空間のｓＲＧＢ空間のデジタルイメージに変換するデジタル画像読取装置において、前記原稿の読取領域外に設けられたパッチ部を前記撮像デバイスで読み取ってｓＲＧＢ変換した画像データを平滑化した後に着脱可能なメモリ素子に記憶し、当該メモリ素子内の前記パッチ部のｓＲＧＢの画像データを、画像の色を一定化させる画像処理条件を調整するキャリブレーション実施の必要性の判断材料とすることを特徴とするデジタル画像読取装置。
【請求項２】
前記デジタル画像読取装置は、前記パッチ部のｓＲＧＢ画像データを前記メモリ素子に記憶するに際して、当該画像データの付属情報を当該画像データに付加して前記メモリ素子に記憶することを特徴とする請求項１記載のデジタル画像読取装置。
【請求項３】
前記デジタル画像読取装置は、前記パッチ部のｓＲＧＢ画像データを前記メモリ素子に記憶するに際して、当該画像データを所定の縮小率で縮小して前記メモリ素子に記憶することを特徴とする請求項１または請求項２記載のデジタル画像読取装置。
【発明の詳細な説明】
【技術分野】
【０００１】
本発明は、デジタル画像読取装置に関し、詳細には、稼動効率を向上させつつキャリブレーションを実行するか否かを簡単かつ適切に判定することのできるデジタル画像読取装置に関する。
【背景技術】
【０００２】
オフィスでの取り扱い文書は増加の一途を辿っており、それら文書管理の効率化を図るため、イメージスキャナ等のデジタル画像読取装置を用いて、紙文書を電子イメージデータとして取り込む電子ファイリングシステムのニーズが高まってきている。また、文書のカラー化が進んでおり、これに伴って、電子ファイリングシステムもカラーが進んできている。
【０００３】
ところが、カラーイメージスキャナで電子化されたカラーイメージデータを実際に使用する場合、モニター、カラープリンタ、印刷機等の複数の出力装置に出力されるが、このときに、これらの出力装置間で色がマッチングしない、例えば、モニター表示とカラープリントで色味が違う等の問題が発生した。
【０００４】
このように同一データを出力しても、出力装置毎に色が合わなくなってしまうのは、スキャナを含めた各入出力装置の特性によって表現可能な色域（カラースペース）が違っているためである。
【０００５】
この点に着目して、上記問題を解決すべく、近年、International Color Consortium（国際色彩委員会）が提唱する「ＩＣＣプロファイル」を用いたカラーマネージメントシステムが導入されている。「ＩＣＣプロファイル」とは、各入出力装置のカラースペースや特性が書き込まれた、いわば「履歴書」のようなものであり、コンピュータ上のカラーマネージメントシステムが、各入出力装置の特性を判断し、「人間の目にとって同じように見えるように」補正を施したカラーデータのやり取りを実行する。
【０００６】
「ＩＣＣプロファイル」を用いたカラーマネージメントでは、入力装置であるイメージスキャナは、そのスキャナ固有の「ＩＣＣプロファイル」を使用するため、ユーザは保存したカラーイメージデータに対し、「どのスキャナで読まれたもの」で、その「ＩＣＣプロファイル」がどれであるかを管理する必要がある。また、管理が面倒であれば、保存するカラーイメージデータのヘッダ等に「ＩＣＣプロファイル」を埋め込むことも可能であるが、この場合は、イメージデータのサイズが増加するため、電子ファイリングの効率が悪くなる。
【０００７】
国際電気標準会議の「ＩＥＣ／ＷＤ６１９９６−２−１」で、マルチメディア・システムの色管理として、「デフォルトＲＧＢ色空間−ｓＲＧＢ」に示される、インターネット用の標準のデフォルトＲＧＢスペースとして「ｓＲＧＢ」が提唱された。このｓＲＧＢは、デバイスに依存しない、標準のカラースペースである。
【０００８】
ｓＲＧＢは、デバイスに依存しない、すなわち、非デバイス依存のカラースペースであるため、カラーイメージスキャナからの出力を「ｓＲＧＢ」にすることによって、前述のカラーマネージメントシステムは、そのイメージデータを標準色空間であるｓＲＧＢとして取り扱うことができ、また、ユーザは保存したカラーイメージデータが、“どのスキャナで読まれたもの”で、その“ＩＣＣプロファイル”が、どれであるかを管理する必要がなくなり、作業が非常に効率的になる。
【０００９】
そして、近年、標準色空間であるｓＲＧＢイメージを出力する機能を備えたカラーイメージスキャナが、増えてきており、このようなスキャナの多くは、色変換機能を備え、読み取ったデバイズ依存のＲＧＢ信号を非デバイス依存のｓＲＧＢ信号への変換を行なっている。
【００１０】
ところが、カラーイメージスキャナは、使用により、例えば、原稿を照射する照明ランプの経時的な劣化等により、色味が変わってくる。この場合、一般的にキャリブレーションを実施して、変動に対する安定化を図る。キャリブレーションとは、照明ランプのドライバを制御して、落ちた分の光量を補正したり、色変換機能のパラメータを調整するなどして、色を常に一定化することである。キャリブレーションの実行は、色味が変動して許容外と判断した場合に実行する。しかしながら、このキャリブレーションの実行を要求する判定は難しく、カラースキャナの動作時間や照明ランプの発光時間等を積算して、ある規定時間以上になった場合に実行するのが一般的である。
【００１１】
人間の目は、僅かな色の違いでも感知することができ、色の違いを観察する場合、非常に正確である。
【００１２】
そして、従来、画像読取時に、撮影用感光材料に露光された各駒画像および撮影用感光材料への画像露光前後にこの撮影用感光材料の画像露光領域外に露光されたキャリブレーションパターンをデジタル的に読み取って、前記各駒画像のデジタル画像データおよびデジタルキャリブレーションパターンデータとを得、得られたデジタルキャリブレーションパターンデータに対する相対値に基づいて前記各駒画像の色および／または濃度に関する画像処理条件を調整した後、この調整された画像処理条件で前記各駒画像のデジタル画像データを画像処理する画像処理方法が提案されている（特許文献１参照）。
【００１３】
この従来の画像処理方法では、撮影用感光材料の画像露光領域外に露光されたキャリブレーションパターンをデジタル的に読み取ってデジタルキャリブレーションパターンデータを得ているが、このキャリブレーションパターンは、具体的には、グレーまたはＲＧＢ各色の単色の円形または矩形の画像（パッチ画像）である。
【００１４】
また、本出願人は、先に、イメージセンサで読み取った画像信号を処理・補正する電気回路に伝送する途中の経路上に前記画像信号の経路とは別に配線して、画像信号を装置外に出力する画像読取装置を提案している（特許文献２参照）。
【００１５】
【特許文献１】特許第３４５１２０２号公報
【特許文献２】特開平７−５８９１１
【発明の開示】
【発明が解決しようとする課題】
【００１６】
しかしながら、上記特許文献１記載の従来の技術にあっては、キャリブレーションパターンとして、デバイス依存のＲＧＢイメージを用いているため、キャリブレーション実施の必要性を、安定かつ正確かつ低コストに判断するうえで、改良の必要があった。
【００１７】
また、特許文献２記載の従来技術にあっては、画像信号の経路の途中を配線で外部に出力し、画像読取外に設けた濃度基準板を読取った時の出力値を外部に出力するので、サービスマンが故障を判断して、コストの軽減とサービスマンの手間と時間を削減図っているが、やはり取り出した画像信号をデジタル画像読取装置に接続した計測機器に入力して、処理する必要があり、デジタル画像読取装置の稼働率を向上させつつ、キャリブレーション実施の必要性を適切に判定する上で、改良の必要があった。
【００１８】
そこで、本発明は、稼働率を維持しつつ、キャリブレーション実施の必要性を適切かつ容易に判定可能とするデジタル画像読取装置を提供することを目的としている。
【課題を解決するための手段】
【００１９】
請求項１記載の発明のデジタル画像読取装置は、撮像デバイスで読み込まれた原稿の画像を当該撮像デバイス固有のＲＧＢ空間から標準空間のｓＲＧＢ空間のデジタルイメージに変換するデジタル画像読取装置において、前記原稿の読取領域外に設けられたパッチ部を前記撮像デバイスで読み取ってｓＲＧＢ変換した画像データを平滑化した後に着脱可能なメモリ素子に記憶し、当該メモリ素子内の前記パッチ部のｓＲＧＢの画像データを、画像の色を一定化させる画像処理条件を調整するキャリブレーション実施の必要性の判断材料とすることにより、上記目的を達成している。
【００２０】
この場合、例えば、請求項２に記載するように、前記デジタル画像読取装置は、前記パッチ部のｓＲＧＢ画像データを前記メモリ素子に記憶するに際して、当該画像データの付属情報を当該画像データに付加して前記メモリ素子に記憶するものであってもよい。
【００２１】
また、例えば、請求項３に記載するように、前記デジタル画像読取装置は、前記パッチ部のｓＲＧＢ画像データを前記メモリ素子に記憶するに際して、当該画像データを所定の縮小率で縮小して前記メモリ素子に記憶するものであってもよい。
【発明の効果】
【００２２】
本発明のデジタル画像読取装置によれば、原稿の読取領域外に設けられたパッチ部を撮像デバイスで読み取ってｓＲＧＢ変換した画像データを平滑化した後に着脱可能なメモリ素子に記憶した当該画像データを、キャリブレーション実施の必要性の判断材料としているので、メモリ素子をデジタル画像読取装置から取り外してパーソナルコンピュータ等を利用してキャリブレーション実施の必要性を判定することができ、デジタル画像読取装置の稼働率を維持しつつ、キャリブレーション実施の必要性を適切かつ容易に判定することができる。
【発明を実施するための最良の形態】
【００２３】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２４】
図１〜図１０は、本発明のデジタル画像読取装置の一実施例を示す図であり、図１は、本発明のデジタル画像読取装置の一実施例を適用したデジタル画像読取装置１の正面概略構成図である。
【００２５】
図１において、デジタル画像読取装置１は、本体筐体２の上部に原稿台ガラス３が設けられており、原稿台ガラス３の上部は、開閉可能にＡＤＦ（自動原稿送り装置）４が取り付けられている。このＡＤＦ４は、原稿台ガラス３上にセットたれた原稿を原稿台ガラス３に密着させるように押さえつける厚板の機能を兼ね備えている。
【００２６】
本体筐体２の内部には、図示しない第１走行体に搭載された照明ランプ５と第１ミラー６、図示しない第２走行体に搭載された第２ミラー７と第３ミラー８、レンズ９、ＣＣＤ（Charge Coupled Device ）１０及び走行体モータ１１等からなる露光走査光学系１２が配設されており、ＣＣＤ（撮像デバイス）１０は、基板１３に取り付けられている。露光走査光学系１２は、第１走行体と第２走行体が走行体モータ１１により水平方向（副走査方向：図１に両矢印Ａで示す方向）に移動され、第１走行体上の照明ランプ５から原稿台ガラス３上に載置された原稿に光を照射して、当該原稿で反射された光の反射光を第１走行体上の第１ミラー６で第２走行体方向に反射し、第２走行体上の第２ミラー７及び第３ミラー８で第１走行体から入射される光を順次反射して、レンズ９方向に出射させる。レンズ９は、第２走行体から入射される光をＣＣＤ１０に集光して照射させる。ＣＣＤ１０は、１次元に複数の光電変換素子としてＣＣＤ素子が配列されており、レンズ９から入射される入射光を光電変換して、アナログの画像データ（画像信号）を出力する。
【００２７】
上記ＡＤＦ４は、原稿トレイ２１、ピックアップローラ２２、レジストローラ対２３、搬送ドラム２４、複数の搬送ローラ２５、排紙ローラ対２６、２７、搬送モータ２８及び排紙トレイ２９等を備えている。
【００２８】
ＡＤＦ４は、原稿トレイ２１に積載された原稿を、ピックアップローラ２２、レジストローラ対２３、搬送ドラム２４、搬送ローラ２５により、搬送ドラム２４の最下端の位置で当該搬送ローラ２４と接触する状態で本体筐体２の上部に配設されたスリットガラス３０の読取位置Ｂを経て、排紙ローラー対２６、２７へ送り込まれ、排紙トレイ２９上に排出される。原稿は、スリットガラス３０の読取位置Ｂを通過する際に、読取位置Ｂ近傍に移動されている照明ランプ５により照射され、その反射光は、第１ミラー６及び一体に構成された第２ミラー７、第３ミラー８で走査される。その後、反射光は、レンズ９により集束され、ＣＣＤ１０に照射されて光電変換される。
【００２９】
ピックアップローラ２２とレジストローラ対２３は、図示しない給紙モータにより駆動され、搬送ドラム２４、搬送ローラ２５、排紙ローラー対２６、２７は、搬送モータ２８により駆動される。
【００３０】
読取位置Ｂの近傍には、白基準板３１が設置されており、白基準板３１は、照明ランプ５のバラツキやＣＣＤ１０の画素毎の感度ムラ等が原因で、一様な濃度の原稿を読み取ったにもかかわらず、読取データがばらつく現象をシェーディング補正するために用いられる。シェーディング補正は、ラインメモリを用いた電気回路（図示しない）によって行ない、まず白基準板３１を原稿スキャン前に主走査方向１ライン分読み取り、この読み取った白基準データをメモリに記憶して、原稿をスキャンした画素毎に、対応する記憶した白基準データで割り算することにより行なう。
【００３１】
デジタル画像読取装置１は、図２に示すように、ブロック構成されており、ＣＰＵ（Central Processing Unit ）４０、センサ回路４１、ＲＧＢライン間補正回路４２、シェーディング補正回路４３、変倍回路４４、色変換回路４５、画像処理回路４６、メモリコントローラ４７、メモリ４８、Ｉ／Ｆコントローラ４９及びＳＤ（Secure Digital）−ＣＡＲＤコネクタ５０等を備えており、Ｉ／Ｆコントローラ４９には、上記ＳＤ−ＣＡＲＤコネクタ５０とパーソナルコンピュータ等のホスト６０が接続されて、当該ホスト６０には、表示手段としてのＣＲＴ（陰極線管：Cathode Ray Tube）６１が接続されている。
【００３２】
ＳＤ−ＣＡＲＤコネクタ５０には、携帯外部メモリとしてのＳＤ−ＣＡＲＤ（メモリ素子）７０が着脱可能に挿入される。このＳＤ−ＣＡＲＤ７０は、フラッシュメモリ（登録商標）を内蔵した小型メモリ装置で、各種装置に簡易に着脱可能で携帯性に優れていることから、近年普及している。なお、本実施例では、着脱可能なメモリ素子として、ＳＤ−ＣＡＲＤ７０を用いているが、着脱可能なメモリ素子としては、ＳＤ−ＣＡＲＤ７０に限るものではなく、スマートメディア、コンパクトフラッシュ、メモリスティック等を用いてもよい。
【００３３】
ＣＰＵ４０は、デジタル画像読取装置１の各部を制御して、デジタル画像読取装置１としての処理を実行するとともに、後述するＳＤ−ＣＡＲＤ制御処理を実行し、各回路、コントローラ４７、４９及びメモリ４８、ＳＤ−ＣＡＲＤ７０の設定やステータスチェックを行う。
【００３４】
センサ回路４１は、色フィルタと上記ＣＣＤ１０を用いたＲＧＢラインセンサ４１ａ（図３参照）、Ａ／Ｄコンバータ及びＲＧＢラインセンサ４１ａとＡ／Ｄコンバータを駆動する駆動回路等で構成され、ＲＧＢラインセンサ４１ａで原稿をスキャンして、ＲＧＢの濃淡の電気信号を出力し、Ａ／Ｄコンバータで、当該濃淡電気信号を、例えば、８ビットのデジタル信号に変換して、ＲＧＢライン間補正回路４２に出力する。
【００３５】
すなわち、センサ回路４１は、図３に示すように、セラミックパッケージ８０内に収納されており、セラミックパッケージ８０の読取側の面には、ガラス８１が配設されている。センサ回路４１は、Ｒ、Ｇ、Ｂのセンサで構成されているＲＧＢラインセンサ４１ａであるセンサ回路４１のＲＧＢの原稿上の走査位置が、ＲＧＢラインセンサ４１ａ上のＲＧＢセンサの物理的な間隔分だけ異なっている。
【００３６】
ＲＧＢライン間補正回路４２は、図４（ａ）に示すように、センサ回路４１の読み取るＲＧＢライン間に発生している読み取り位置のズレを、ラインメモリにより補正し、図４（ｂ）に示すように、注目ラインを統一する。
【００３７】
シェーディング補正回路４３は、ＲＧＢライン毎に上記シェーディング補正を行ない、照明ムラやＣＣＤ１０の画素毎の感度ムラに等に起因するバラツキ補正をする。
【００３８】
このシェーディング補正に用いる上記白基準板３１は、図５に示すように、領域Ａと領域Ｂに区分されており、領域Ａは、シェーディング補正に使用する白板基準面で、領域Ｂには、カラーパッチ（パッチ部）３１ａが設けられている。デジタル画像読取装置１は、この白基準板３１の領域Ｂの各カラーパッチ３１ａを分光測色計等により測色したＸＹＺ値から求まるｓＲＧＢ値を、図示しない不揮発性メモリ及びＩ／Ｆコントローラ４９、ＳＤ−ＣＡＲＤコネクタ５０を介して当該ＳＤ−ＣＡＲＤコネクタ５０に装着されているＳＤ−ＣＡＲＤ７０に記憶する。また、このｓＲＧＢ値は、ホスト６０にインストールされたアプリケーションソフトに付随して記憶されてもよい。この各カラーパッチ３１ａは、その品質が管理された基準となるカラー印刷が施されており、そのｓＲＧＢ値は、求まっており、サービスマンは、その値をデジタル画像読取装置１のメンテナンス情報として把握している。
【００３９】
変倍回路４４は、ユーザから指定される変倍率に従って主走査方向の変倍（拡大／縮小）処理を行い、色変換回路４５は、予め設定されるテーブルデータに基づいて色変換処理を行なって、デバイズ依存のＲＧＢデータから、標準色空間の１つであるｓＲＧＢデータに変換する。
【００４０】
画像処理回路４６は、ユーザの使用目的により適宜設定されるＭＴＦ補正や平滑化等のビデオデータに対するフィルタ処理、補正、ディザ、誤差拡散等の階調数変換処理等の各種画像処理を行う。
【００４１】
メモリコントローラ４７は、画像処理回路４６で画像処理の施されたビデオデータをメモリ４８に蓄積するとともに、Ｉ／Ｆコントローラ４９からの要求に応じて、メモリ４８に蓄積したビデオデータを外部のホスト６０やＳＤ−ＣＡＲＤコネクタ５０に装着されたＳＤ−ＣＡＲＤ７０に転送する際のメモリ制御を行う。ＣＰＵ４０は、このメモリコントローラ４７を経由してメモリ４８を読み書きする。
【００４２】
メモリ４８は、読取スピードと外部ホスト６０等へのビデオ転送スピード間に発生する速度差を吸収するために設けられ、ビデオデータを複数ページ記憶可能なメモリである。
【００４３】
Ｉ／Ｆコントローラ４９は、ホスト６０及びＳＤ−ＣＡＲＤ７０とデジタル画像読取装置１との接続Ｉ／Ｆに準拠したデータ転送を行うコントローラであり、バスのアービトレーション、データ転送、デジタル画像読取装置１の制御全体を処理するＣＰＵ４０との制御コマンド（各種モード設定）のやりとりを行う。Ｉ／Ｆコントローラ４９として、例えば、ＳＣＳＩ Ｉ／Ｆを使用する場合には、Ｉ／Ｆコントローラ４９としては、汎用のＳＣＳＩコントローラを使用する。
【００４４】
ホスト６０は、いわゆるＤＯＳ／Ｖマシン等のパーソナルコンピュータである。デジタル画像読取装置１の操作者は、パーソナルコンピュータであるホスト６０に搭載されているアプリケーションソフトを利用して、デジタル画像読取装置１の状態をチェックしたり、各種モードを設定して、所望のスキャン動作を実行し、ホスト６０にデジタル画像イメージを取り込むことができる。
【００４５】
次に、本実施例のデジタル画像読取装置１での変倍処理(密度変換)について、説明する。本実施例のデジタル画像読取装置１は、主走査方向と副走査方向の両方向について電気回路による変倍処理を行う。
【００４６】
主走査方向の読取密度は、レンズ９の絞り（集束率）及びＣＣＤ１０上の読取画素数は固定であるため、読取密度は一定値となる。デジタル画像読取装置１では、この主走査方向の読取密度が６００ｄｐｉになるように構成している。
【００４７】
副走査方向の読取密度は、走行体モータ１１及び搬送モータ２８の駆動スピードによって規定され、デジタル画像読取装置１では、この副走査方向の読取密度が６００ｄｐｉになるように駆動している。
【００４８】
変倍回路４４は、メモリ（図示しない）を使用した補間処理を行いながら間引き処理や２度書きを行うことで、任意のｄｐｉに密度変換する。例えば、変倍回路４４は、６００ｄｐｉの読取データを３００ｄｐｉに縮小（５０％）する場合には、６００ｄｐｉの読取データの隣り合う画素を補間処理しながら間引き処理して、２画素から１画素に変換し、また、６００ｄｐｉの読取データを１２００ｄｐｉに拡大（２００％）する場合には、１画素を補間処理しながら２度書きすることで２画素に変換する。
【００４９】
そして、デジタル画像読取装置１は、図６に示すような操作表示部９０を備えており、操作表示部９０は、操作者とのインターフェイスを行う部分で、デジタル画像読取装置１の種々の状態や操作方法を促す表示を行うＬＣＤ（Liquid Crystal Display）と操作者からの入力を検知するスイッチ群から構成されている。操作表示部９０は、操作表示制御回路９１、ＬＣＤ回路９２及びスイッチ回路９３等を備えている。ＬＣＤ回路９２は、ＬＣＤを駆動する回路で、操作表示制御回路９１からの指示に従って操作者に対する各種情報をＬＣＤに表示する。スイッチ回路９３は、スイッチ群とその駆動回路から構成され、操作者によってスイッチが操作されると、その情報を操作表示制御回路９１に出力する。操作表示制御回路９１は、デジタル画像読取装置１の全体制御を行うＣＰＵ４０とＬＣＤ回路９２とスイッチ回路９３とのやりとりを制御する回路である。すなわち、操作表示制御回路９１は、ＣＰＵ４０から指示される表示コマンドに従ってＬＣＤに指示された内容を表示するようにＬＣＤ回路９２を駆動させるとともに、スイッチ回路９３からの入力を検知すると、どのスイッチがどのように操作されたかの情報をＣＰＵ４０に出力する。
【００５０】
次に、本実施例の作用を説明する。デジタル画像読取装置１は、サービスマンが、キャリブレーション実施の必要性の判断を、ＳＤ−ＣＡＲＤ７０を使用して以下のように実施する。
【００５１】
すなわち、サービスマンは、ＳＤ−ＣＡＲＤ７０をＳＤ−ＣＡＲＤコネクタ５０に装着し、操作表示部９０を操作して、「スキャナキャリブレーションチェック」のスイッチを押下する。
【００５２】
デジタル画像読取装置１は、ＣＰＵ４０が、操作表示部９０から「スキャナキャリブレーションチェック」のスイッチ入力を検知すると、白基準板３１の「領域Ｂ」の読み取り動作を行い、センサ回路４１からカラーパッチ３１ａを読み取った画像データを取り込んで、ＲＧＢライン間補正回路４２に入力する。ＲＧＢライン間補正回路４２は、受け取った画像データに対して、通常のライン間補正処理を施して、シェーディング補正回路４３に出力する。シェーディング補正回路４３は、ＲＧＢライン間補正回路４２からの画像データに通常のシェーディング補正処理を行って、変倍回路４４に出力し、変倍回路４４は、特に変倍処理を行うことなく、受け取ったカラーパッチ３１ａを読み取った画像データを色変換回路４５に転送する。
【００５３】
色変換回路４５は、受け取ったカラーパッチ３１ａを読み取った画像データをｓＲＧＢ変換し、画像処理回路４６に出力し、画像処理回路４６は、受け取った画像データに対して平滑化処理を施してメモリコントローラ４７に出力する。
【００５４】
メモリコントローラ４７は、受け取ったカラーパッチ３１ａを読み取った画像データを一旦メモリ４８に蓄積する。
【００５５】
Ｉ／Ｆコントローラ４９は、ＣＰＵ４０の制御下で、メモリコントローラ４７を介してメモリ４８内のカラーパッチ３１ａを読み取った画像データを、ＳＣ−ＣＡＲＤコネクタ５０を介してＳＤ−ＣＡＲＤ７０に転送する。
【００５６】
ＣＰＵ４０は、メモリ４８内の画像データがＳＤ−ＣＡＲＤ７０に転送し終わると、その旨を操作表示部９０のＬＣＤに表示出力する。
【００５７】
サービスマンは、操作表示部９０のＬＣＤの表示を見て、画像データの転送が終了すると、ＳＤ−ＣＡＲＤ７０を、デジタル画像読取装置１のＳＤ−ＣＡＲＤコネクタ５０から取り外し、ＳＤ−ＣＡＲＤ７０を、ノートＰＣ等のＳＤ−ＣＡＲＤＩ／Ｆに挿入して接続して、ＳＤ−ＣＡＲＤ７０内のカラーパッチ３１ａを読み取ったｓＲＧＢ画像データを、ＨＥＸダンプさせて、別途メンテナンス情報として把握しているカラーパッチ３１ａのｓＲＧＢ基準値と比較チェックする。
【００５８】
そして、上述のように、ＳＤ−ＣＡＲＤ７０には、画像処理回路４６で平滑化処理したカラーパッチ３１ａの読取画像データが格納されているが、図７に画像処理回路４６で平滑化処理を施さなかった場合の所定のカラーパッチのＧデータのヒストグラムを示し、図８に画像処理回路４６で平滑化処理を施した場合のヒストグラムを示すように、ヒストグラムのバラツキ範囲でも分かるように、平滑化処理を行うことによって、読取動作時のノイズ（電源変動、光源の経時的劣化、撮像素子の画素毎のバラつき、紙粉／埃等の阻害要因、振動等）の影響が除去されている。
【００５９】
したがって、サービスマンは、ユーザ先のデジタル画像読取装置１から離れた場所でキャリブレーション実施の必要性を判断することができる。
【００６０】
このように、本実施例のデジタル画像読取装置１は、原稿の読取領域外に設けられたカラーパッチ３１ａを読み取ってｓＲＧＢ変換した画像データを画像処理回路４６で平滑化した後に着脱可能なＳＤ−ＣＡＲＤ７０に記憶して当該画像データを、キャリブレーション実施の必要性の判断材料としている。
【００６１】
したがって、ＳＤ−ＣＡＲＤ７０をデジタル画像読取装置１から取り外してノートＰＣ等を利用してキャリブレーション実施の必要性を判定することができ、デジタル画像読取装置１の稼働率を維持しつつ、キャリブレーション実施の必要性を適切かつ容易に判定することができる。
【００６２】
また、サービスマンによるデジタル画像読取装置１のキャリブレーション実施の必要性の判断は、以下のように行ってもよい。
【００６３】
すなわち、サービスマンはＳＤ−ＣＡＲＤ７０をＳＤ−ＣＡＲＤコネクタ５０に装着し、操作表示部９０を操作して、「スキャナキャリブレーションチェック」のスイッチを押下する。
【００６４】
デジタル画像読取装置１は、ＣＰＵ４０が、操作表示部９０から「スキャナキャリブレーションチェック」のスイッチ入力を検知すると、白基準板３１の「領域Ｂ」の読み取り動作を行い、センサ回路４１からカラーパッチ３１ａを読み取った画像データを取り込んで、ＲＧＢライン間補正回路４２に入力する。ＲＧＢライン間補正回路４２は、受け取った画像データに対して、通常のライン間補正処理を施して、シェーディング補正回路に出力する。シェーディング補正回路４３は、ＲＧＢライン間補正回路４２からの画像データに通常のシェーディング補正処理を行って、変倍回路４４に出力し、変倍回路４４は、特に変倍処理を行うことなく、受け取ったカラーパッチ３１ａを読み取った画像データを色変換回路４５に転送する。
【００６５】
色変換回路４５は、受け取ったカラーパッチ３１ａを読み取った画像データをｓＲＧＢ変換し、画像処理回路４６に出力し、画像処理回路４６は、受け取った画像データに対し平滑化処理を施して、メモリコントローラ４７に出力する。
【００６６】
メモリコントローラ４７は、受け取ったカラーパッチ３１ａを読み取った画像データを一旦メモリ４８に蓄積する。
【００６７】
ＣＰＵ４０は、メモリ４８に蓄積した画像データに対して、サイズやビット深度、解像度等の付属情報を、汎用画像フォーマット、例えば、ＴＩＦＦファイルフォーマットのヘッダデータの形態で追記する。
【００６８】
Ｉ／Ｆコントローラ４９は、メモリコントローラ４７を介してメモリ４８内のＴＩＦＦフォーマットのイメージデータ化されたカラーパッチ３１ａを読み取った画像データを、ＳＣ−ＣＡＲＤコネクタ５０を介してＳＤ−ＣＡＲＤ７０に転送する。
【００６９】
したがって、ＳＤ−ＣＡＲＤ７０には、ＢＭＰやＴＩＦＦ等の汎用フォーマットの画像ファイルの形態で画像データが蓄積される。
【００７０】
ＣＰＵ４０は、メモリ４８内の画像データをＳＤ−ＣＡＲＤ７０に転送し終わると、その旨を操作表示部９０のＬＣＤに表示出力する。
【００７１】
サービスマンは、操作表示部９０のＬＣＤの表示を見て、画像データの転送が終了すると、ＳＤ−ＣＡＲＤ７０を、デジタル画像読取装置１のＳＤ−ＣＡＲＤコネクタ５０から取り外し、ＳＤ−ＣＡＲＤ７０を、例えば、図９に示すようなノートＰＣ１００等のＳＤ−ＣＡＲＤＩ／Ｆに挿入して接続して、ＳＤ−ＣＡＲＤ７０内のカラーパッチ３１ａを読み取ったｓＲＧＢ画像データを、ノートＰＣ１００等のディスプレイに表示させてチェックする。このとき、上述のように、ＳＤ−ＣＡＲＤ７０には、ｓＲＧＢ画像データが汎用のフォーマット形態で格納されているので、ｓＲＧＢ画像データを汎用のイメージビュアーを使用して、ノートＰＣ１００等のディスプレイに表示させることができる。
【００７２】
このときに、ノートＰＣ１００等のディスプレイに、図９に示すように、メンテナンス情報として把握しているカラーパッチ３１ａのｓＲＧＢ基準値画像データとＳＤ−ＣＡＲＤ７０内のカラーパッチ３１ａを読み取ったｓＲＧＢ画像データとを合わせて表示させて、サービスマンが、両画像を比較して見ることで、視覚的にチェックする。
【００７３】
そして、上述のように、ＳＤ−ＣＡＲＤ７０には、画像処理回路４６で平滑化処理したカラーパッチ３１ａの読取画像データが格納されているが、図１０（ａ）に画像処理回路４６で平滑化処理を施さなかった場合、図１０（ｂ）に画像処理回路４６で平滑化処理を施した場合及び図１０（ｃ）にｓＲＧＢ基準画像データをそれぞれ示すように、平滑化処理を行うことによって、読取動作時のノイズ（電源変動、光源の経時的劣化、撮像素子の画素毎のバラつき、紙粉／埃等の阻害要因、振動等）の影響が除去されている。
【００７４】
したがって、サービスマンは、ユーザ先のデジタル画像読取装置１から離れた場所でキャリブレーション実施の必要性を判断することができる。
【００７５】
このように、本実施例のデジタル画像読取装置１は、カラーパッチ３１ａのｓＲＧＢ画像データをＳＤ−ＣＡＲＤ７０に記憶するに際して、当該画像データの付属情報を当該画像データに付加してＳＤ−ＣＡＲＤ７０に記憶している。
【００７６】
したがって、メンテナンス用ツールの開発効率を抑制することができ、キャリブレーションの必要性の判定を安価に行うことができる。
【００７７】
さらに、サービスマンによるデジタル画像読取装置１のキャリブレーション実施の必要性の判断は、以下のように行ってもよい。
【００７８】
すなわち、サービスマンはＳＤ−ＣＡＲＤ７０をＳＤ−ＣＡＲＤコネクタ５０に装着し、操作表示部９０を操作して、「スキャナキャリブレーションチェック」のスイッチを押下する。
【００７９】
デジタル画像読取装置１は、ＣＰＵ４０が、操作表示部９０から「スキャナキャリブレーションチェック」のスイッチ入力を検知すると、白基準板３１の「領域Ｂ」の読み取り動作を行い、センサ回路４１からカラーパッチ３１ａを読み取った画像データを取り込んで、ＲＧＢライン間補正回路４２に入力する。ＲＧＢライン間補正回路４２は、受け取った画像データに対して、通常のライン間補正処理を施して、シェーディング補正回路に出力する。シェーディング補正回路４３は、ＲＧＢライン間補正回路４２からの画像データに通常のシェーディング補正処理を行って、変倍回路４４に出力し、変倍回路４４は、受け取ったカラーパッチ３１ａに対して所定縮小率、例えば、５０％の縮小処理を施して、色変換回路４５に転送する。
【００８０】
色変換回路４５は、受け取ったカラーパッチ３１ａを読み取って縮小した画像データをｓＲＧＢ変換し、画像処理回路４６に出力し、画像処理回路４６は、受け取った画像データに対し平滑化処理を施して、メモリコントローラ４７に出力する。
【００８１】
メモリコントローラ４７は、受け取ったカラーパッチ３１ａを読み取って縮小した画像データを一旦メモリ４８に蓄積する。
【００８２】
ＣＰＵ４０は、メモリ４８に蓄積した画像データに対して、サイズやビット深度、解像度等の付属情報を、汎用画像フォーマット、例えば、ＴＩＦＦファイルフォーマットのヘッダデータの形態で追記する。
【００８３】
Ｉ／Ｆコントローラ４９は、メモリコントローラ４７を介してメモリ４８内のＴＩＦＦフォーマットのイメージデータ化されたカラーパッチ３１ａを読み取って縮小した画像データを、ＳＣ−ＣＡＲＤコネクタ５０を介してＳＤ−ＣＡＲＤ７０に転送する。
【００８４】
ＣＰＵ４０は、メモリ４８内の画像データをＳＤ−ＣＡＲＤ７０に転送し終わると、その旨を操作表示部９０のＬＣＤに表示出力する。
【００８５】
サービスマンは、操作表示部９０のＬＣＤの表示を見て、画像データの転送が終了すると、ＳＤ−ＣＡＲＤ７０を、デジタル画像読取装置１のＳＤ−ＣＡＲＤコネクタ５０から取り外し、ＳＤ−ＣＡＲＤ７０を、例えば、図９に示すようなノートＰＣ１００等のＳＤ−ＣＡＲＤＩ／Ｆに挿入して接続して、ＳＤ−ＣＡＲＤ７０内のカラーパッチ３１ａを読み取って縮小したｓＲＧＢ画像データを、汎用のイメージビュアーに表示させてチェックする。
【００８６】
このときに、ノートＰＣ１００等のディスプレイに、図９に示すように、メンテナンス情報として把握しているカラーパッチ３１ａのｓＲＧＢ基準値画像データとＳＤ−ＣＡＲＤ７０内のカラーパッチ３１ａを読み取って縮小したｓＲＧＢ画像データとを合わせて表示させて、サービスマンが、両画像を比較して見ることで、視覚的にチェックする。
【００８７】
したがって、サービスマンは、ユーザ先のデジタル画像読取装置１から離れた場所でキャリブレーション実施の必要性を判断することができる。
【００８８】
このように、本実施例のデジタル画像読取装置１は、カラーパッチ３１ａのｓＲＧＢ画像データをＳＤ−ＣＡＲＤ７０に記憶するに際して、当該画像データをデジタル画像読取装置１の変倍回路４４で所定の縮小率で縮小してＳＤ−ＣＡＲＤ７０に記憶している。
【００８９】
したがって、デジタル画像読取装置１の機能（縮小処理）を効率的に活用しながら、記憶容量の小さいＳＤ−ＣＡＲＤ７０に必要なカラーパッチ３１ａのｓＲＧＢ画像データを保存することができ、キャリブレーションの必要性の判定を安価に行うことができる。
【００９０】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００９１】
読取画像データをｓＲＧＢに変換するとともに、キャリブレーション実施の必要性を、稼働率を維持しつつ適切に判定することを必要とするスキャナ、ファクシミリ装置、複写装置、複合装置等のデジタル画像読取装置に適用することができる。
【図面の簡単な説明】
【００９２】
【図１】本発明のデジタル画像読取装置の一実施の形態を適用したデジタル画像読取装置の概略構成正面図。
【図２】図１のデジタル画像読取装置の回路ブロック構成図。
【図３】図２のセンサの正面図。
【図４】図２のセンサの読み取るＲＧＢライン間に発生している読取位置のズレ（ａ）と、当該位置ズレを補正した状態（ｂ）の一例を示す図。
【図５】図１の白基準板の平面図。
【図６】図１のデジタル画像読取装置の操作表示部の回路ブロック構成図。
【図７】平滑化処理を施さなかった場合の所定のカラーパッチのＧデータのヒストグラムの一例を示す図。
【図８】平滑化処理を施した場合の所定のカラーパッチのＧデータのヒストグラムの一例を示す図。
【図９】カラーパッチを読み取ったｓＲＧＢ画像データをノートＰＣに読み取らせてｓＲＧＢ基準値画像データとともに表示する状態の説明図。
【図１０】カラーパッチを読み取ったｓＲＧＢ画像の平滑化処理をしない画像（ａ）、平滑化処理をした画像（ｂ）及びｓＲＧＢ基準画像（ｃ）の一例を示す図。
【符号の説明】
【００９３】
１  デジタル画像読取装置
２  本体筐体
３  原稿ガラス台
４  ＡＤＦ
５  照明ランプ
６  第１ミラー
７  第２ミラー
８  第３ミラー
９  レンズ
１０  ＣＣＤ
１１  走行体モータ
１２  露光走査光学系
１３  基板
２１  原稿トレイ
２２  ピックアップローラ
２３  レジストローラ対
２４  搬送ドラム
２５  搬送ローラ
２６、２７  排紙ローラ対
２８  搬送モータ
２９  排紙トレイ
３０  スリットガラス
３１  白基準板
３１ａ  カラーパッチ
４０  ＣＰＵ
４１  センサ回路
４１ａ  ＲＧＢラインセンサ
４２  ＲＧＢライン間補正回路
４３  シェーディング補正回路
４４  変倍回路
４５  色変換回路
４６  画像処理回路
４７  メモリコントローラ
４８  メモリ
４９  Ｉ／Ｆコントローラ
５０  ＳＤ−ＣＡＲＤコネクタ
６０  ホスト
６１  ＣＲＴ
７０  ＳＤ−ＣＡＲＤ
８０  セラミックパッケージ
８１  ガラス
９０  操作表示部
９１  操作表示制御回路
９２  ＬＣＤ回路
９３  スイッチ回路
【図１】
2006246265.tif 000003
【図２】
2006246265.tif 000004
【図３】
2006246265.tif 000005
【図４】
2006246265.tif 000006
【図５】
2006246265.tif 000007
【図６】
2006246265.tif 000008
【図７】
2006246265.tif 000009
【図８】
2006246265.tif 000010
【図９】
2006246265.tif 000011
【図１０】
2006246265.tif 000012